(57)【特許請求の範囲】
【請求項１】
電気機器収納用箱の蓋裏に回動自在に取付けられて蓋の表側からの操作で先端の係止片部が箱本体の口縁に形成された係止部に係脱できるようにした電気機器収納用箱の鎖錠片において、鎖錠片本体(1) が、蓋裏への取付片部(2) の一端に起立片部(3) を介して前記取付片部(2) と略平行する係止片部(4) を張設した１枚の金属板材よりなるクランク形状のプレス成形品であって、この鎖錠片本体(1) には、前記取付片部(2) と起立片部(3) 間の角度変形を防止する成形補強部(5) が設けたものとして、また、前記起立片部(3) を弧状に彎曲させて形成し、さらに、前記取付片部(2) と起立片部(3) の境界部両側縁に一体成形した内庇部(5a)を成形補強部(5) としたことを特徴とする電気機器収納用箱の鎖錠片。
【請求項２】
電気機器収納用箱の蓋裏に回動自在に取付けられて蓋の表側からの操作で先端の係止片部が箱本体の口縁に形成された係止部に係脱できるようにした電気機器収納用箱の鎖錠片において、鎖錠片本体(1) が、蓋裏への取付片部(2) の一端に起立片部(3) を介して前記取付片部(2) と略平行する係止片部(4) を張設した１枚の金属板材よりなるクランク形状のプレス成形品であって、この鎖錠片本体(1) には、前記取付片部(2) と起立片部(3) 間の角度変形を防止する成形補強部(5) が設けたものとして、また、前記起立片部(3) を弧状に彎曲させて形成し、さらに、前端が起立片部(3) の両側裏面に当接する短脚片部(5b)を取付片部(2) の両側縁に折曲形成してこれを成形補強部(5) としたことを特徴とする電気機器収納用箱の鎖錠片。
【発明の詳細な説明】
【０００１】
【発明の属する技術分野】
本発明は、電気機器収納用箱の蓋裏に回動自在に取付けられて蓋の表側からの回動操作により先端の係止片部が箱本体の口縁に形成された係止部に係脱されるようにした電気機器収納用箱の鎖錠片に関するものである。
【０００２】
【従来の技術】
電気機器収納用箱の蓋裏に回動自在に取付けられて蓋の表側からの回動操作で先端の係止片部が箱本体の口縁に形成された係止部に係脱するようにした電気機器収納用箱の鎖錠片としては、取付片部の一端に起立片部を介して前記取付片部と略平行する係止片部を張設したクランク形状のものが広く用いられているが、この種の鎖錠片は量産が容易なように１枚の金属板材よりプレス成形して製造するのを普通とする。ところが、１枚の金属板材よりプレス成形したものは、屋外に設置する電気機器収納用箱の扉蓋の蓋裏に取付軸をもって取付片部を回動自在に取付けて使用した場合において、鎖錠状態で電気機器収納用箱の背面側から大きな風圧がかかるなどして扉蓋が外側に開かれる方向の力を受けると、その力が取付片部と起立片部との屈曲部に集中して、図４に示すように、鎖錠片本体５１の取付片部５２と起立片部５３間の角度が小さくなるよう鎖錠片本体５１が変形し、この鎖錠片の変形によって蓋７１と箱本体６１との間に隙間Ｓが生じて蓋自体ががたつくおそれがあった。このような変形を防止するため、１枚の金属板材よりプレス成形したこの種の鎖錠片は、素材である金属板材として相当厚肉または幅広のものを用いる必要があり、材料費が増すうえに加工に手数を要しコスト高となるという問題があった。
【０００３】
【発明が解決しようとする課題】
本発明が解決しようとするところは上記した従来の問題点を解決して、１枚の金属板材よりプレス成形されたものであるにもかかわらず、素材である金属板材の厚みや幅を増すことなしに前記した風圧等により変形されるおそれのない程度の強度を有する電気機器収納用箱の鎖錠片を提供することにある。
【０００４】
【課題を解決するための手段】
上記の課題を解決するためになされた本発明に係る電気機器収納用箱の鎖錠片は、電気機器収納用箱の蓋裏に回動自在に取付けられて蓋の表側からの操作で先端の係止片部が箱本体の口縁に形成された係止部に係脱できるようにした電気機器収納用箱の鎖錠片において、鎖錠片本体が、蓋裏への取付片部の一端に起立片部を介して前記取付片部と略平行する係止片部を張設した１枚の金属板材よりなるクランク形状のプレス成形品であって、この鎖錠片本体には、前記取付片部と起立片部間の角度変形を防止する成形補強部が設けたものとして、また、前記起立片部を弧状に彎曲させて形成し、さらに、前記取付片部と起立片部の境界部両側縁に一体成形した内庇部を成形補強部としたことを特徴とするものを請求項１に係る発明とする。そして、電気機器収納用箱の蓋裏に回動自在に取付けられて蓋の表側からの操作で先端の係止片部が箱本体の口縁に形成された係止部に係脱できるようにした電気機器収納用箱の鎖錠片において、鎖錠片本体が、蓋裏への取付片部の一端に起立片部を介して前記取付片部と略平行する係止片部を張設した１枚の金属板材よりなるクランク形状のプレス成形品であって、この鎖錠片本体には、前記取付片部と起立片部間の角度変形を防止する成形補強部が設けたものとして、また、前記起立片部を弧状に彎曲させて形成し、さらに、前端が起立片部(3) の両側裏面に当接する短脚片部を取付片部の両側縁に折曲形成してこれを成形補強部としたことを特徴とするものを請求項２に係る発明ととする。
【０００５】
【発明の実施の形態】
以下、本発明の好ましい実施形態を図面を参考にしながら詳細に説明する。１は本発明に係る鎖錠片の鎖錠片本体、１１は金属板材よりなる電気機器収納用箱の箱本体、２１はこの箱本体１１の開口部に開閉自在に施蓋されている金属板材よりなる扉式の蓋で、この蓋２１には錠ケース２２を蓋裏に突出させて錠が取付けられている。前記した鎖錠片本体１は、１枚の金属板材を素材として、取付片部２の一端に略垂直の短い起立片部３を介して前記取付片部２と略平行する係止片部４が張設されたクランク形状となるように成形されたプレス成形品であるが、特に、この発明における鎖錠片本体１には、前記取付片部２と起立片部３間の角度変形を防止するための成形補強部５が設けられている。なお、図において６は取付片部２に設けた軸挿通用の角孔である。また、前記した係止片部４は、平板状のものでもよいが、図１および図２に示すように、係止補助用のプレス加工部７を設けたものとすることもできる。
【０００６】
なお、前記した鎖錠片本体１の取付片部２と起立片部３間の角度変形を防止する成形補強部５は、他の部分とともに同じ金属板材でプレス成形されたものであって取付片部２と起立片部３間の角度変形を防止する機能があれば特に限定されることはなく、例えば、図１に示した第１の実施の形態のように、起立片部３を係止片部４側が突出するよう弧状に湾曲させるとともにこの起立片部３と取付片部２との境界部両側縁に一体成形した内庇部５ａを前記取付片部２の両側縁から起立させた短堤部２ａに続いて形成したものとしたり、図２に示す第２の実施の形態のように、前記同様係止片部４側が突出するよう弧状に湾曲させた起立片部３の両側裏面に前端が当接する短脚片部５ｂを取付片部２の両側縁に折曲形成したものでもよい。
【０００７】
このように構成されたものは、取付片部２の角孔６をもって蓋２１の表側から操作可能なように前記した錠ケース２２の一端裏面より突出している軸２３に嵌着することにより、図３に示すように、鎖錠片本体１を蓋２１の蓋裏に取付けておき、蓋２１の表側からの回動操作で鎖錠片本体１の先端の係止片部４が箱本体１１の口縁に形成された係止部１２に係脱させるものであるが、鎖錠片本体１にはその取付片部２と起立片部３間の角度変形を防止する成形補強部５が設けられているので、屋外に設置する電気機器収納用箱の扉状の蓋２１の蓋裏に軸２３をもって取付片部２を回動自在に取付けて使用した場合において、鎖錠状態で電気機器収納用箱の背面側から大きな風圧がかかるなどして蓋２１が外側に開かれる方向の力を受け、その力が取付片部２と起立片部３との屈曲部に集中した場合でも、取付片部２と起立片部３間の角度が開かれることなくその力に充分耐えて鎖錠片本体１が変形することがなく、このため、蓋２１と箱本体１１との間に隙間が生じることがなくなって蓋２１自体ががたつくおそれがない。また、起立片部３を弧状に彎曲させて形成すれば、その効果はより顕著なものとなる。また、このように成形補強部５を設けておくだけで取付片部２と起立片部３間の角度変形を防止できることにより、金属板材を厚くしたり幅広とする必要がなくなり、これにより材料費および加工手数が少なくて済みコスト低減が可能となり、また、１枚の金属板材よりなるプレス成形品であるから量産が容易な利点がある。
【０００８】
【発明の効果】
本発明は前記説明から明らかなように、１枚の金属板材をプレス成形して取付片部の一端に起立片部を介して係止片部が張設されたクランク形状の鎖錠片本体とした電気機器収納用箱の鎖錠片において、その成形と同時に成形加工されて取付片部と起立片部間の角度変形を防止する成形補強部を備えているので、素材である金属板材の厚みや幅を増したり、別加工などの手数を加えるなどによるコスト高要因が無くなり、風圧その他扉の内側に加えられる大きな力により変形されるおそれのない程度の強度を有する低コストの電気機器収納用箱の鎖錠片を量産できることとなる。
従って、本発明は従来のこの種の電気機器収納用箱の鎖錠片の問題点を解決したもので、構造が簡単なため安価に提供できる利点と相俟ち業界に寄与するところ極めて大きいものがある。
【図面の簡単な説明】
【図１】  本発明の第１の実施の形態を示す斜視図である。
【図２】  本発明の第２の実施の形態を示す斜視図である。
【図３】  本発明の使用状態を示す説明図である。
【図４】  従来例の使用状態を示す説明図である。
【符号の説明】
１  鎖錠片本体
２  取付片部
３  起立片部
４  係止片部
５  成形補強部
【図１】
0004232996.tif 000002
【図２】
0004232996.tif 000003
【図３】
0004232996.tif 000004
【図４】
0004232996.tif 000005